(57)【要約】【課題】電気転てつ機のロック狂い検知器の固定スリット部材の位置合わせを容易に行うことができる電気転てつ機のロック狂い検知器の位置調整冶具を提供する。【解決手段】電気転てつ機本体に着脱可能で固定スリットが形成された固定スリット部材と、固定スリットに光を通過させる発光素子および受光素子と、を備えるロック狂い検知器の位置調整を行うための電気転てつ機のロック狂い検知器の位置調整冶具２１において、電気転てつ機本体に着脱可能な本体部２２と、固定スリット部材に着脱可能で本体部２２に電気転てつ機の鎖錠カンの移動方向に移動可能に支持された移動部２３と、移動部２３と連結されて移動部２３を鎖錠カンの移動方向に移動させるネジ部２４と、を備えている。【選択図】図２
2013035493.tif 000002
【特許請求の範囲】
【請求項１】
電気転てつ機本体に着脱可能で固定スリットが形成された固定スリット部材と、
前記固定スリットに光を通過させる発光素子および受光素子と、を備えるロック狂い検知器の位置調整を行うための電気転てつ機のロック狂い検知器の位置調整冶具において、
前記電気転てつ機本体に着脱可能な本体部と、
前記固定スリット部材に着脱可能であるとともに前記本体部に前記電気転てつ機の鎖錠カンの移動方向に移動可能に支持された移動部と、
前記鎖錠カンの移動方向に延在し前記移動部と連結されて該移動部を前記鎖錠カンの移動方向に移動させるネジ部と、を備えていることを特徴とする電気転てつ機のロック狂い検知器の位置調整冶具。
【請求項２】
前記移動部と当接して該移動部の移動を拘束する拘束部を備えていることを特徴とする請求項１に記載の電気転てつ機のロック狂い検知器の位置調整冶具。
【発明の詳細な説明】
【技術分野】
【０００１】
本発明は、電気転てつ機のロック狂い検知器の位置調整冶具に関する。
【背景技術】
【０００２】
電気転てつ機は、ポイント転換が完了したときに、鎖錠カンに形成された切欠き部に鎖錠駒（ロックピース）が挿入され、鎖錠カンの移動が抑止されるように構成されている。そして、電気転てつ機には、鎖錠カンと鎖錠駒のロック狂い（ずれ）を検知するためのロック狂い検知器が設けられている（例えば、特許文献１および特許文献２参照）。
このロック狂い検知器は、電気転てつ機本体に固定され固定スリットが形成された固定スリット部材と、鎖錠カンに固定され鎖錠カンとともに移動可能で移動スリットが形成された移動スリット部材と、固定スリット部材に光を通過させる発光素子および受光素子を有する光センサとを備えている。
【０００３】
そして、ポイント転換により鎖錠カンが移動すると移動スリット部材も移動し、鎖錠カンが正位置に配置されると、固定スリットと移動スリットとが重なり、発光素子から発光される光が固定スリットおよび移動スリットを通過するように構成されている。
このため、電気転てつ機においてロック狂いが生じ、鎖錠カンが正位置からずれて配置ると、固定スリットと、移動スリットとが重ならず、発光素子から発光された光が遮断される。これにより、ロック狂い検知器は、ロック狂いが生じたことを検知している。
【先行技術文献】
【特許文献】
【０００４】
【特許文献１】特開２００２−２４８３号公報
【特許文献２】特開２００９−１１３５１８号公報
【発明の概要】
【発明が解決しようとする課題】
【０００５】
このようなロック狂い検知器は、精度よくロック狂いを検知するため、固定スリット部材が正位置に設置されている必要がある。このため、ロック狂い検知器を設置するときや点検時には、固定スリット部材の位置調整を行っている。
しかし、この固定スリット部材の位置調整は、シビアであるとともに、作業員が素手で行っているため、作業員の技量によって精度が変わり、電気転てつ機の性能に影響することがある。
【０００６】
本発明は、上述する問題点に鑑みてなされたもので、電気転てつ機のロック狂い検知器の固定スリット部材の位置合わせを容易に行うことができる電気転てつ機のロック狂い検知器の位置調整冶具を提供することを目的とする。
【課題を解決するための手段】
【０００７】
上記目的を達成するため、本発明に係る電気転てつ機のロック狂い検知器の位置調整冶具は、電気転てつ機本体に着脱可能で固定スリットが形成された固定スリット部材と、前記固定スリットに光を通過させる発光素子および受光素子と、を備えるロック狂い検知器の位置調整を行うための電気転てつ機のロック狂い検知器の位置調整冶具において、前記電気転てつ機本体に着脱可能な本体部と、前記固定スリット部材に着脱可能であるとともに前記本体部に前記電気転てつ機の鎖錠カンの移動方向に移動可能に支持された移動部と、前記鎖錠カンの移動方向に延在し前記移動部と連結されて該移動部を前記鎖錠カンの移動方向に移動させるネジ部と、を備えていることを特徴とする。
【０００８】
本発明では、ネジ部をその周方向に回転させることにより、ネジ部に連結された移動部を鎖錠カンの移動方向（ネジ部の延在方向）に移動させることができるため、移動部が装着された固定スリット部材の位置調整を容易にかつ精度よく行うことができる。
【０００９】
また、本発明に係る電気転てつ機のロック狂い検知器の位置調整冶具では、前記移動部と当接して該移動部の移動を拘束する拘束部を備えていることが好ましい。
このようにすることにより、位置調整された移動部の位置が拘束されると、固定スリット部材の位置が拘束されるため、位置調整された固定スリット部材を電気転てつ機本体に固定するときに、安定した状態で固定スリット部材を電気転てつ機本体に固定することができる。
【発明の効果】
【００１０】
本発明によれば、ネジ部をその周方向に回転させることにより、ネジ部に連結された移動部を鎖錠カンの移動方向（ネジ部の延在方向）に移動させることができるため、移動部が装着された固定スリット部材の位置調整を容易にかつ精度よく行うことができる。
これにより、電気転てつ機のロック狂い検知器の位置調整を容易に行うことができる。
【図面の簡単な説明】
【００１１】
【図１】電気転てつ機のロック狂い検知器の一例を示す上面図である。
【図２】本発明の実施形態による電気転てつ機のロック狂い検知器の位置調整冶具の一例を示す斜視図である。
【図３】電気転てつ機に装着された電気転てつ機のロック狂い検知器の位置調整冶具を示す斜視図である。
【発明を実施するための形態】
【００１２】
以下、本発明の実施形態による電気転てつ機のロック狂い検知器の位置調整冶具について、図１乃至図３に基づいて説明する。
（電気転てつ機のロック狂い検知器）
まず、電気転てつ機のロック狂い検知器１について説明する。
図１に示すように、本実施形態による電気転てつ機のロック狂い検知器１は、電気転てつ機本体２に着脱可能で固定スリット３が形成された固定スリット部材４と、固定スリット３に光を通過させる発光素子８および受光素子９を有し受光素子９が受光したか否かを検知する光センサ１０と、を備えている。
【００１３】
固定スリット部材４は、面方向に直交する方向に間隔をあけて立設する一対の鉛直板１１，１１を備えている。これらの一対の鉛直板１１，１１には、面方向に直交する方向に重なる位置に、それぞれ固定スリット３，３が形成されている。
一対の鉛直板１１，１１は、その面方向が電気転てつ機の鎖錠カン５の移動方向（図中の矢印Ａの方向）と平行となるように設置されている。
また、一対の鉛直板１１，１１は、下端部が電気転てつ機本体２に着脱可能な固定部材１２に固定され、上端部どうしが連結板１３で連結されている。
【００１４】
発光素子８および受光素子９は、発光素子８から受光素子９へ向かう光が固定スリット３，３を通過するように固定スリット部材４を挟む位置に設けられている。これらの発光素子８および受光素子９は、固定部材１２に固定されている。
【００１５】
電気転てつ機の鎖錠カン５には、移動スリット６が形成された移動スリット部材７が取り付けられている。
この、移動スリット部材７は、鎖錠カン５の上部に立設する鉛直板１５を備えていて、この鉛直板１５に移動スリット６が形成されている。
移動スリット部材７の鉛直板１５は、固定スリット部材４の一対の鉛直板１１，１１と平行に設置されていて、鎖錠カン５とともに移動したときに、固定スリット部材４の一対の鉛直板１１，１１の間に配置され、移動スリット６が固定スリット３，３と重なるように構成されている。
【００１６】
ところで、電気転てつ機では、ポイント転換が完了した後に、鎖錠カン５に形成された切欠き部５ａに鎖錠駒１４が挿入される。このとき、鎖錠カン５が正位置に配置されていると、鎖錠カン５の切欠き部５ａの鎖錠カン５の移動方向における中心と、鎖錠駒１４の鎖錠カン５の移動方向における中心とは、略同一の位置に配置されるように構成されている。このため、ロック狂いが生じ、鎖錠カン５が正位置からずれると、これらの中心がずれることになる。
【００１７】
この鎖錠カン５に形成された切欠き部５ａは、その幅寸法（鎖錠カン５の移動方向の寸法）Ｗ１が、鎖錠駒１４の幅寸法（鎖錠カン５の移動方向の寸法）Ｗ２よりも大きく形成されている。本実施形態では、切欠き部５ａの幅寸法Ｗ１と鎖錠駒１４の幅寸法Ｗ２との差を３．３８ｍｍとしており、切欠き部５ａの幅方向の中心と鎖錠駒１４の幅方向の中心とが一致すると、鎖錠駒１４の両側面と切欠き部５ａの内面との間には、それぞれ１．６９ｍｍずつ間隔があくように構成されている。
【００１８】
そして、ロック狂い検知器１では、鎖錠カン５の切欠き部５ａの幅方向の中心と鎖錠駒１４の幅方向の中心とが略一致し、鎖錠カン５が正位置に配置されているときに、移動スリット６が固定スリット３，３と重なるように移動スリット部材７が鎖錠カン５に取り付けられている。これにより、光センサ１０の発光素子８から発光された光が、一方の固定スリット３、移動スリット６および他方の固定スリット３を通過し、受光素子９に受光される。
そして、ロック狂いが生じて鎖錠カン５が正位置からずれると、発光素子８から発光された光が、移動スリット６を通過できずに移動スリット部材７の鉛直板１５に遮断される。
【００１９】
本実施形態のロック狂い検知器１では、鎖錠カン５の切欠き部５ａの幅方向の中心と鎖錠駒１４の幅方向の中心とがずれて、いずれか一方の鎖錠駒１４の側面と切欠き部５ａの内面との間隔が０．５ｍｍ未満となったときに、固定スリット３，３と移動スリット６とが重ならず、ロック狂いが生じたと検知するように構成されている。そして、ロック狂い検出器１は、ロック狂いが生じたと検知すると、ロック狂い検出器１に設けられたＬＥＤランプ（不図示）が点灯して作業者に知らせるように構成されている。
【００２０】
これにより、ロック狂い検知器１は、受光素子９が受光したときは、鎖錠カン５が正位置に配置されていて、受光素子９が受光できないときは、ロック狂いが生じていることを検知することができる。
なお、固定スリット３，３と移動スリット６とが完全に重ならず、一部どうしが重なっている場合でも受光素子９は受光することができるため、ロック狂い検知器１は、受光素子９の受光量によって、ロック狂いが生じているか否かを検知するように構成されていてもよい。
【００２１】
（電気転てつ機のロック狂い検知器の位置調整冶具）
次に、図２および図３に示す電気転てつ機のロック狂い検知器の位置調整冶具２１について説明する。
本実施形態による電気転てつ機のロック狂い検知器の位置調整冶具２１は、電気転てつ機本体２（図３参照）に着脱可能な本体部２２と、固定スリット部材４（図１参照）および光センサ１０（図３参照）に着脱可能で本体部２２に鎖錠カン５（図１参照）の移動方向（図中の矢印Ａの方向）に移動可能に支持された移動部２３と、鎖錠カン５の移動方向に延在し一方の端部２４ａ（図２参照）が移動部２３と連結されるとともに他方の端部２４ｂが本体部２２から外方に突出し本体部２２に周方向に回転可能に支持されたネジ部２４と、移動部２３の移動を拘束可能な拘束部２５（図２参照）と、を備えている。
【００２２】
本体部２２には、電気転てつ機本体２に吸着可能な固定用マグネット３１と、電気転てつ機本体２に係止可能な固定用ネジ３２（本実施形態では２箇所）と、が設けられている。
通常、図１に示すロック狂い検知器１の上部には、電気転てつ機本体２にネジ（不図示）によって着脱可能なカバー体（不図示）が設置されていて、電気転てつ機本体２には、カバー体を固定するためネジが挿通されるネジ孔２ａが形成されている。そして、このカバー体は、ロック狂い検知器１の位置調整を行うときには外される。
このため、本実施形態では、固定用ネジ３２は、カバー体を固定するためのネジが挿入されるネジ孔２ａに挿通されるように構成されている。
【００２３】
移動部２３は、下方が開口した略コの字型の断面形状に加工された鋼板３３を備え、この鋼板３３が固定スリット部材４および光センサ１０に上方からはめ込まれることで、固定スリット部材４および光センサ１０を一体に保持可能に構成されている。本実施形態では、鋼板３３は、断面形状がＬ字型に加工された２枚の鋼板を組み合わせている。また、移動部２３は、本体部２２の下側に配置されている。
【００２４】
また、固定スリット部材４に移動部２３が装着されているときも、固定スリット部材４の一対の鉛直板１１，１１間に、移動スリット部材７の鉛直板１５（図１参照）が配置可能となるように、移動部２３の鋼板３３には、移動スリット部材７と干渉しないための切欠き３３ａが形成されている。
【００２５】
ネジ部２４は、他方の端部２４ｂに作業者が把持可能な把持部３４が設けられていて、作業者が把持部３４を把持してネジ部２４の周方向に回転させることで、延在方向（鎖錠カン５の移動方向）に移動するように構成されている。
拘束部２５は、ネジ部２４が接続されている側とネジ部２４の延在方向の反対側から移動部２３と当接可能で、鎖錠カン５の移動方向に延在するネジ材であり、一方の端部２５ａが移動部２３と当接可能に構成され、他方の端部２５ｂが本体部２２から外方に突出し、この他方の端部２５ｂに作業者が把持可能な把持部３５が設けられている。
また、拘束部２５は、ネジ部２４と同様に鎖錠カン５の移動方向に延在していて、作業者が把持部３５を把持して周方向に回転させることで、延在方向に移動するように構成されている。拘束部２５が移動部２３と当接することで、移動部２３が拘束部２５側に移動することが拘束される。
【００２６】
次に、上述した電気転てつ機のロック狂い検知器の位置調整冶具２１によるロック狂い検知器１の位置調整方法について説明する。
このロック狂い検知器１の位置調整では、固定スリット部材４が正位置に配置されるように調整している。
なお、固定スリット４の位置調整に先行して、鎖錠カン５の切欠き部５ａの幅方向の中心と鎖錠駒１４の幅方向の中心とが略一致するとともに、鎖錠駒１４の側面と切欠き部５ａの内面との間隔が０．５ｍｍ以上となる位置に移動調整器などを用いて鎖錠カン５を設置する。このとき、鎖錠カン５には、移動スリット部材７が取り付けられている。
【００２７】
そして、ロック狂い検知器１の上部に設けられたカバー体（不図示）を外し、固定部材１２と電気転てつ機本体２とを係止するネジ（不図示）を外して、固定スリット部材４および光センサ１０が固定部材１２とともに移動可能な状態とする。
続いて、電気転てつ機本体２にロック狂い検知器の位置調整冶具２１の本体部２２を固定する。このとき、固定用マグネット３１を電気転てつ機本体２に吸着させるとともに、固定用ネジ３２をカバー体用のネジ孔２ａに螺合させて本体部２２を固定する。
また、このとき、固定スリット部材４および光センサ１０に移動部２３を装着し、移動部２３とともに固定スリット部材４および光センサ１０が移動可能な状態とする。なお、固定スリット部材４および光センサ１０は固定部材１２に固定されているため、固定スリット部材４および光センサ１０が移動すると固定部材１２も移動する。
【００２８】
続いて、ネジ部２４の把持部３４を把持してネジ部２４を周方向に廻し、移動部２３をネジ部２４の延在方向に移動させる。このとき、ネジ部２４を周方向に廻して移動部２３をネジ部２４の延在方向へ移動させているため、移動部２３の位置の微調整を容易に行うことができる。
さらに、移動部２３が装着された固定スリット部材４の固定スリット３が移動スリット６と重なる位置に移動部２３が配置されるまで、ネジ部２４を回転させる。
そして、移動部２３を上記位置に配置することにより、固定スリット部材４および光センサ１０が正位置に配置される。
【００２９】
このとき、移動部２３の鋼板３３には、移動したときに移動スリット部材７と干渉しないための切欠き３３ａが形成されているため、固定スリット部材４の一対の鉛直板１１，１１間に、移動スリット部材７の鉛直板１５を配置させることができる。
そして、固定スリット部材４の位置が正位置に配置されているかを確認するために、光センサ１０を作動させて、固定スリット部材４が配置された位置において、ロック狂いが生じていないかを確認してもよい。
【００３０】
続いて、拘束部２５を移動させて移動部２３と当接させる。これにより、移動部２３が拘束部２５側に移動することが拘束される。
続いて、固定スリット部材４および光センサ１０が固定された固定部材１２を電気転てつ機本体２に固定する。これにより、固定スリット部材４および光センサ１０が電気転てつ機本体２に固定される。
【００３１】
続いて、固定用マグネット３１および固定用ネジ３２を外してロック狂い検知器の位置調整冶具２１を電気転てつ機本体２から外す。
そして、カバー体をロック狂い検知器１の上部に設置する。
このようにして、電気転てつ機のロック狂い検知器１が位置調整されて固定される。
【００３２】
次に、上述した電気転てつ機のロック狂い検知器の位置調整冶具２１の作用効果について図面を用いて説明する。
本実施形態による電気転てつ機のロック狂い検知器の位置調整冶具２１では、ネジ部２４を周方向に回転させることにより、ネジ部２４に連結された移動部２３を鎖錠カン５の移動方向（ネジ部２４の延在方向）に移動させることができるため、固定スリット部材４の位置調整を容易にかつ精度よく行うことができる。
これにより、電気転てつ機のロック狂い検知器１の位置調整を容易に行うことができる。
また、拘束部２５によって位置調整された移動部２３の位置が拘束され、固定スリット部材４の位置が拘束されるため、位置調整された固定スリット部材４を電気転てつ機本体２に固定するときに、安定した状態で固定スリット部材４を電気転てつ機本体２に固定することができる。
【００３３】
以上、本発明による電気転てつ機のロック狂い検知器の位置調整冶具２１の実施形態について説明したが、本発明は上記の実施形態に限定されるものではなく、その趣旨を逸脱しない範囲で適宜変更可能である。
例えば、上述した実施形態では、電気転てつ機のロック狂い検知器の位置調整冶具２１は、  固定用マグネット３１および固定用ネジ３２を用いて本体部２２を電気転てつ機本体２に固定しているが、固定用マグネット３１および固定用ネジ３２のいずれか一方のみで本体部２２を電気転てつ機本体２に固定してもよく、他の固定具で本体部２２を電気転てつ機本体２に固定してもよい。
【符号の説明】
【００３４】
１  ロック狂い検知器（電気転てつ機のロック狂い検知器）
２  電気転てつ機本体
３  固定スリット
４  固定スリット部材
５  鎖錠カン
５ａ  切欠き部
６  移動スリット
７  移動スリット部材
８  発光素子
９  受光素子
１０  光センサ
１２  固定部材
２１  ロック狂い検知器の位置調整冶具（電気転てつ機のロック狂い検知器の位置調整冶具）
２２  本体部
２３  移動部
２４  ネジ部
２５  拘束部
【図１】
2013035493.tif 000003
【図２】
2013035493.tif 000004
【図３】
2013035493.tif 000005